(57)【特許請求の範囲】
【請求項１】
生ゴミを微生物分解して処理する生ゴミ処理装置において、微生物の着生する濾床は、複数個の板を略直立させたものが上下方向に複数段配置され上下に隣接する板の向きが互いに異なる構成とした生ゴミ処理装置。
【請求項２】
板には複数個の穴あるいは凹部を有する請求項１記載の生ゴミ処理装置。
【請求項３】
板の材質は、多孔質で内部に微生物が入り込むことができるような材質である請求項１または２記載の生ゴミ処理装置。
【請求項４】
生ゴミを微生物分解して処理する生ゴミ処理装置において、微生物の着生する濾床は、フィルムを略垂直方向に張り並べたものが上下方向に複数段配置され上下に隣接するフィルムの向きが互いに異なる構成とした生ゴミ処理装置。
【請求項５】
厨房の流しに取り付けた生ゴミの粉砕装置と、前記粉砕装置からの粉砕厨芥を受け微生物による加水分解を行う調整槽と、前記調整槽の浸出水を受けて水中の有機物を好気的に微生物分解する分解槽と、前記分解槽の浸出水を受け一時貯留する水槽と、前記水槽から水を引き抜き前記調整槽に送水する送水手段と、前記分解槽内部に設け微生物の付着する濾床とを備え、前記濾床は、複数個の板を略直立させたものが上下方向に複数段配置され上下に隣接する板の向きが互いに異なる構成とした生ゴミ処理装置。
【請求項６】
厨房の流しに取り付けた生ゴミの粉砕装置と、前記粉砕装置からの粉砕厨芥を受け微生物による加水分解を行う調整槽と、前記調整槽の浸出水を受けて水中の有機物を好気的に微生物分解する分解槽と、前記分解槽の浸出水を受け一時貯留する水槽と、前記水槽から水を引き抜き前記調整槽に送水する送水手段と、前記分解槽内部に設け微生物の付着する濾床とを備え、前記濾床は、フィルムを略垂直方向に張り並べたものが上下方向に複数段配置され上下に隣接するフィルムの向きが互いに異なる構成とした生ゴミ処理装置。
【発明の詳細な説明】
【０００１】
【発明の属する技術分野】
本発明は一般家庭や業務用として使用される、生ゴミを微生物的に分解処理する生ゴミ処理装置に関するものである。
【０００２】
【従来の技術】
従来の家庭用生ゴミ処理装置には、生ゴミを粉砕して水とともにそのまま下水へ流すディスポーザや、生ゴミを焼却あるいは乾燥して減量化するもの、大鋸屑などと混合して微生物分解して減量化するもの等がある。
【０００３】
【発明が解決しようとする課題】
このうち、ディスポーザが最も使い勝手がよい。ディスポーザは厨房の流しの排水口にあり、生ゴミの発生場所と処理する場所が非常に近接しており、生ゴミを運搬する必要は全く無い。さらに、処理物は下水へと流れてしまうので、その後のメンテナンスに気を配る必要がない。
【０００４】
その他の装置は、屋外に設置されているものがほとんどで、時には悪臭を放ち、湿潤した生ゴミを装置までわざわざ運搬しなければならない。また、焼却や乾燥処理するものは、その処理中に特有の臭いを発し、非常に不快である。さらに、処理残渣、つまり灰やかすが残り、それを廃棄するなどの始末をしなければならない。大鋸屑と混合して微生物分解するものも、特有の臭いを発する。また、装置が大きく、数カ月毎に大鋸屑を交換するなどのメンテナンスを要する。このようにディスポーザ以外の機器は非常に使い勝手の悪いものである。
【０００５】
それにも関わらずディスポーザは、日本においてほとんど普及していない。なぜならディスポーザを使用した場合、粉砕された生ゴミによって排水の水質が著しく悪くなり、下水処理場に負担をかけるか、下水の完備されていないところでは、河川の環境を破壊してしまうからである。現在、多くの自治体、特に大都市ではディスポーザは使用、販売を禁止されているのである。
【０００６】
そこで、ディスポーザの排水を処理すれば問題はないが、この処理には技術的に困難な点が多い。乾燥や焼却する場合は、前述のような問題に加え、ディスポーザ粉砕時に加える水の分を乾燥させなければならず、エネルギー要求の高い手段といえる。微生物処理をする場合は、処理水を環境的に問題の少ないレベルに下げるには、処理に時間がかかるなどの理由で処理槽を大きいものにしなければならない。
【０００７】
本発明は、この微生物処理を短時間で効率よく行って、コンパクトな生物処理装置を実現させ、便利の良いディスポーザを使用できるようになることを目的としている。
【０００８】
【課題を解決するための手段】
本発明の生ゴミ処理機においては、生ゴミを分解する微生物の着生する濾床を、略垂直方向に直立した複数の棒によって構成されているものである。この発明によれば、好気的分解に必要な濾床の表面積を大きくとることができ、微生物の増殖によって濾床が閉塞することなくその面積を容易に維持することができ、ディスポーザによる排水を効果的に浄化する生ゴミ処理装置が得られる。
【０００９】
【発明の実施の形態】
本発明の請求項１記載の発明は、生ゴミを微生物分解して処理する生ゴミ処理装置において、微生物の着生する濾床は、複数個の板を略直立させたものが上下方向に複数段配置され上下に隣接する板の向きが互いに異なる構成としているものである。濾床を直立させることによって、微生物膜表面の水膜は自重で流下してその厚みは最も薄いものとなり、空気と微生物間の酸素の拡散距離が小さくなって微生物が効果的に酸素を取り込むことができる。さらに上下に隣接する板の向きが互いに異なることによって、その表面を流下する水が全体に行き渡り易くなり、微生物膜との接触機会を増すことができ、浄化率を高めることができる。
【００１０】
本発明の請求項２記載の発明は、請求項１記載の構成において、板には複数個の穴あるいは凹部を有するものである。この穴あるいは凹部には、水が貯まりやすく、そこが最も早く微生物が着生しやすいので、十分な微生物膜形成までの時間を短縮することができる。
【００１１】
本発明の請求項３記載の発明は、請求項１または２記載の構成において、板の材質は多孔質で内部に微生物が入り込むことができるような材質であるものである。濾床としての板内部に微生物を入り込ませることによって全体としての微生物保持量を増やすことができると、その分の微生物の自己分解量が大きくなり、微生物の厚みが比較的小さいところで安定させることができる。その厚みを小さくすることができるならば、板と板との間隔を狭くすることができ、全体の表面積を大きくすることが可能となる。
【００１２】
本発明の請求項４記載の発明は、生ゴミを微生物分解して処理する生ゴミ処理装置において、微生物の着生する濾床は、フィルムを略垂直方向に張り並べたものが上下方向に複数段配置され上下に隣接するフィルムの向きが互いに異なる構成としているものである。濾床を略垂直方向に張り並べ直立させることによって、微生物膜表面の水膜は自重で流下してその厚みは最も薄いものとなり、空気と微生物間の酸素の拡散距離が小さくなって微生物が効果的に酸素を取り込むことができる。また、フィルムは板よりも薄くすることができるので、全体としてより多くのフィルムを並べられ、酸素の取り込むことのできる表面積を大きくすることができる。さらに上下に隣接するフィルムの向きが互いに異なることによって、その表面を流下する水が全体に行き渡り易くなり、微生物膜との接触機会を増すことができ、浄化率を高めることができる。
【００１３】
本発明の請求項５記載の発明は、厨房の流しに取り付けた生ゴミの粉砕装置と、前記粉砕装置からの粉砕厨芥を受け微生物による加水分解を行う調整槽と、前記調整槽の浸出水を受けて水中の有機物を好気的に微生物分解する分解槽と、前記分解槽の浸出水を受け一時貯留する水槽と、前記水槽から水を引き抜き前記調整槽に送水する送水手段と、前記分解槽内部に設け微生物の付着する濾床とを備え、前記濾床は、複数個の板を略直立させたものが上下方向に複数段配置され上下に隣接する板の向きが互いに異なる構成としているものである。粉砕装置で生ゴミを粉砕し、粉砕した生ゴミは調整槽内で滞留している間に浮遊する微生物の出す酵素によって加水分解される。生ゴミはデンプンやタンパク等の高分子化合物を主成分にしており、これらは微生物が菌体外に分泌するアミラーゼやプロテアーゼなどの加水分解酵素により徐々に分解され、水に溶けるグルコースやアミノ酸類となる。これら水に溶けた有機物は、調整槽から濾床を備える分解槽へと流下し、そこで酸化分解される。このように生ゴミを微生物分解する過程を、加水分解と酸化分解とに分割して行う方が効果的である。酸化分解には酸素が消費されるが酸素の量は一定であり、有機物の量が増えると急激に酸素が消費され、その周辺は嫌気状態になってしまう。そうすると嫌気性分解が行われ、嫌気生分解によって産出される酸によって好気性分解が阻害されてしまう。加水分解の過程を設けて、酸化分解過程への有機物の供給を調整することにより、急激な有機物の供給は少なくなって、良好な好気性分解を行うことができるからである。投入された生ゴミの有機物成分は、分解槽へ突発的に流入することなく、調整槽を介して単位時間当たりほぼ一定量が供給される。このようにして調整槽内で溶解された生ゴミは水溶性有機物として水と共に分解槽に流れ落ち、濾床表面の微生物が酸素を利用して好気的に微生物分解し、この水は浄化される。分解槽で分解された有機物は水と共に、その下方の水槽に貯留され、この水槽から下水へ排水される。また、水槽の内の水は送水手段により再び、調整槽内に送水され、未分解の有機物を戻してさらなる浄化を行う。
【００１４】
本発明の請求項６記載の発明は、厨房の流しに取り付けた生ゴミの粉砕装置と、前記粉砕装置からの粉砕厨芥を受け微生物による加水分解を行う調整槽と、前記調整槽の浸出水を受けて水中の有機物を好気的に微生物分解する分解槽と、前記分解槽の浸出水を受け一時貯留する水槽と、前記水槽から水を引き抜き前記調整槽に送水する送水手段と、前記分解槽内部に設け微生物の付着する濾床とを備え、前記濾床は、フィルムを略垂直方向に張り並べたものが上下方向に複数段配置され上下に隣接するフィルムの向きが互いに異なる構成としているものである。粉砕装置で生ゴミを粉砕し、粉砕した生ゴミは調整槽内で滞留している間に浮遊する微生物の出す酵素によって加水分解される。生ゴミはデンプンやタンパク等の高分子化合物を主成分にしており、これらは微生物が菌体外に分泌するアミラーゼやプロテアーゼなどの加水分解酵素により徐々に分解され、水に溶けるグルコースやアミノ酸類となる。これら水に溶けた有機物は、調整槽から濾床を備える分解槽へと流下し、そこで酸化分解される。このように生ゴミを微生物分解する過程を、加水分解と酸化分解とに分割して行う方が効果的である。酸化分解には酸素が消費されるが酸素の量は一定であり、有機物の量が増えると急激に酸素が消費され、その周辺は嫌気状態になってしまう。そうすると嫌気性分解が行われ、嫌気生分解によって産出される酸によって好気性分解が阻害されてしまう。加水分解の過程を設けて、酸化分解過程への有機物の供給を調整することにより、急激な有機物の供給は少なくなって、良好な好気性分解を行うことができるからである。投入された生ゴミの有機物成分は、分解槽へ突発的に流入することなく、調整槽を介して単位時間当たりほぼ一定量が供給される。このようにして調整槽内で溶解された生ゴミは水溶性有機物として水と共に分解槽に流れ落ち、濾床表面の微生物が酸素を利用して好気的に微生物分解し、この水は浄化される。分解槽で分解された有機物は水と共に、その下方の水槽に貯留され、この水槽から下水へ排水される。また、水槽の内の水は送水手段により再び、調整槽内に送水され、未分解の有機物を戻してさらなる浄化を行う。
【００１５】
【実施例】
以下、本発明の実施の例について、図を用いて説明する。
【００１６】
（実施例１）
本発明の第１の実施例を図１〜図４により説明する。図１において、１は図示されていない厨房の流し台の排水口下部に接続され、排水口から投入された生ゴミを粉砕する粉砕装置であり、この粉砕装置１の内部にはスイングハンマー（図示せず）を設け、このスイングハンマーにより投入された生ゴミを細かく粉砕する。粉砕された生ゴミは、流し台の排水口から流れ込む水と共に調整槽２に移送され、固形分だけがメッシュ３によって留まり、液体分は下へ流れ落ちる。
【００１７】
この調整槽２内で生ゴミが微生物によって加水分解を受け、溶けて水溶性有機物となって分解槽４へと流下する。４の分解槽は、内部に微生物の着生する濾床５を有する。
【００１８】
図２は濾床５の斜視図である。複数の穴のあいた天板の下に略直立した複数の濾床棒６があり、この表面に微生物が着生する。図３および図４は、濾床５を構成する濾床棒６の水平断面図の一部を示し、図３において６は濾床棒でありこの表面に微生物が着生し繁殖する。７は着生した微生物膜であり、ディスポーザによって粉砕された生ゴミに由来する有機物を酸素を用いて無害な二酸化炭素や水に分解する。
【００１９】
ここで、この濾床棒６を図１のごとく直立させることは効果的である。この表面に付着する微生物膜７は空気中の酸素を直接取り入れているのではなく、空気から水中に溶けた酸素つまり溶存酸素を取り入れているのである。微生物膜７の表面には薄い水の層があり、この水の層の空気との境界面でその溶存酸素濃度は最大であり、境界面より離れるに従い、その溶存酸素濃度は減少する。つまり、水膜は薄いほど微生物膜が多くの酸素を取り入れることが可能となる。微生物膜７が付着する濾床棒６を直立させることによって、微生物膜７表面の水膜はその自重によって落下し、その厚みは最も薄いものとなるので、微生物は効果的に酸素を取り込むことができ、分解作用は促進される。
【００２０】
また、微生物は栄養（生ゴミに由来する有機物）を供給し続けると増殖していく。本来、微生物量が増えても、酸素の供給面に限りがある場合は、その処理能力が増すわけではない。好気的な分解は供給される酸素の量と比例関係にあるからである。つまり、この酸素の供給面（表面積）を有効的に確保することが、その処理能力を決定すると言える。
【００２１】
この濾床が棒状になっていることは、酸素の供給面を有効的に確保することにおいて非常に有効な手段である。棒表面に着生し、増殖する微生物は次第にその厚みを増していく。その厚みが増せば増すほど、その表面積も大きいものとなっていくのである。図４は、図３に比べて微生物膜７の厚みが増した状態であり、２つの図を比べれば明らかなように、その微生物膜７の表面は大きくなっているので、それだけ処理能力が増している。
【００２２】
一方、微生物がさらに増殖していくと、隣り合う微生物膜と互いに付着し、酸素との接触面を失ってしまい、好気性分解に支障をきたす恐れがある。いわゆる濾床の閉塞を起こしてしまう。したがって、微生物膜はある程度厚くならないようにしなければならない。微生物の付着する濾床棒６を直立させていることは、その濾床の閉塞を防ぐ意味でも非常に有効な手段である。直立させている濾床棒６表面上の微生物膜７は、その厚みが増すと自重を支えきれずに一部がはがれて落下しやすいので、その厚みはある一定以上厚くならないからである。
【００２３】
また、この濾床が棒状になっていることも、濾床の閉塞を防ぐ意味で非常に有効な手段である。前述したように、微生物膜の厚みが増せば増すほど、表面積が大きくなり、酸素との供給面が大きくなるわけであるから、有機物の分解速度も増えていく。有機物の分解速度が増えると、生ゴミに由来する有機物以上の有機物を分解できるようになる。その結果、微生物自身をも分解するようになり（自己消化という）、増殖速度が小さくなっていく。つまり、このような構成では微生物が増えれば増えるほど、微生物は原理的に増えにくくなっていく。よって濾床の閉塞は起こりにくくなるのである。
【００２４】
さらに、この濾床棒６の材質を多孔質または棒を中空にして内部に微生物が入り込むことができるものにすれば効果は大きい。内部に微生物を入り込ませることによって全体としての微生物保持量を増やすことができると、その分の微生物の自己分解（自己消化）が大きくなり、微生物の厚みが比較的小さいところで安定させることができる。その厚みを小さくすることができるならば、棒と棒との間隔を狭くすることができ、全体の表面積を大きくすることが可能となる。
【００２５】
以上のように、調整槽２から流下してくる水溶性有機物は、微生物に取り込まれ、酸素を利用して酸化分解され、有機物中の炭素は主に二酸化炭素となり空気中に拡散してゆき、水素は主に水となり、窒素は主にアンモニアとなって菌体外の水中溶解する。このように有機物が除去された水は、さらに流下して下の水槽８に入る。
【００２６】
図１のように、この水槽８に濾床５が水没しているとさらに効果的である。水没によって、濾床５に着生している余剰の微生物が自重で水槽へ落ちやすくなり、前述の濾床閉塞が防げるからである。また、水槽８中の有機成分を吸い上げ、濾床５の微生物に下からも供給することもでき、浄化率の向上も図れる。
【００２７】
水槽８の水は９の水循環ポンプによって揚水され、１０のノズルから吐出して、調整槽２内に送水する。本来生ゴミが持っている水とこの水とが、調整槽２で生成する可溶性の有機物や酵素や微生物を運搬するキャリアーとなって循環を繰り返す。余剰の水は、１１のサイフォンを通って下水に放流される。
【００２８】
１２は吸気ポンプであり、調整槽２及び分解槽４内を減圧して吸気口１３より新鮮な空気を供給する。排気は図のように下水１４へ送気する。下水１４へ送り込まれた排気は、図示していない下水管のヘッドスペースを通って屋外へ排出される。屋外は希釈できる空気が圧倒的に多いので、その臭いが問題になることはない。
【００２９】
このようにして、投入された生ゴミは微生物によって分解され水質上問題の少ない水となって下水へ流される。
【００３０】
（実施例２）
本発明の第２の実施例を図５および図６により説明する。これらの図は、微生物が着生する濾床の本実施例における形態であり、濾床以外の部分は第１の実施例と同じであるので、その説明と図は省略する。
【００３１】
濾床の斜視図である図５において１５は濾床を構成する濾床糸であり、穴のあいた板の間に張り巡らされている。図６はその垂直断面図である。この濾床糸１５表面を微生物が着生して有機物を分解する。濾床糸１５は略垂直方向に張り並べられているので、前実施例と同じ理由で効果的に有機物を分解することができ、濾床の閉塞が起こりにくくその表面積を維持しやすい。
【００３２】
また糸は棒よりも細くすることができるので、その表面の同じ厚さの微生物膜を合わせた太さも細いものとなる。よって、より多くの糸を配置することが可能となり第１の実施例より全体の表面積も大きくなる。同時に、単位微生物量あたりの表面積も大きくなり、より自己分解も増加する。
【００３３】
（実施例３）
本発明の第３の実施例を図７により説明する。図７は、微生物が着生する濾床の本実施例における形態であり、濾床以外の部分は第１の実施例と同じであるので、その説明と図は省略する。
【００３４】
１６は濾床を構成する濾床板であり、この表面を微生物が着生して有機物を分解する。この濾床板１６は略垂直方向に張り並べられているので、前実施例と同じ理由で効果的に有機物を分解することができる。
【００３５】
また、この濾床板１６の表面に複数の穴を設け、その穴のエッジが抵抗となって流下してくる水がその部分で少し留まるようにすればなお一層効果的である。濾床を構成する板が直立していて表面が平らであれば、流下してくる水は僅かしか表面に残らない。微生物膜はその僅かに残った水を起点として、増殖するのであるから、その水は多いほど増殖し易い。穴を有する構成にすれば、穴のエッジや内壁底部には相対的に多くの水が滞留する。穴が複数個あれば、穴の無い構成に比べその滞留する水の量は莫大であり、その分微生物膜が早く着生するのである。この穴は貫通してなくて凹部でもあってもよい。
【００３６】
さらに、この濾床板１６の材質を多孔質して内部に微生物が入り込むことができるものにすれば効果は大きい。内部に微生物を入り込ませることによって全体としての微生物保持量を増やすことができると、その分の微生物の自己分解（自己消化）が大きくなり、微生物の厚みが比較的小さいところで安定させることができる。その厚みを小さくすることができるならば、板と板との間隔を狭くすることができ、全体の表面積を大きくすることが可能となる。
【００３７】
（実施例４）
本発明の第４の実施例を図８により説明する。図８は、微生物が着生する濾床の本実施例における形態であり、濾床以外の部分は第１および第３の実施例と同じであるので、その説明と図は省略する。
【００３８】
図８は濾床の水平断面図であり、このように濾床を構成する濾床フィルム１７を張り巡らし、この表面を微生物が着生して有機物を分解する。この濾床フィルム１７は略垂直方向に張り並べられているので、前実施例と同じ理由で効果的に有機物を分解することができる。
【００３９】
フィルムは図８のように張り並べれば、板よりも薄くできる。全体の大きさによって異なるが板の厚みは少なくとも１ｍｍ以上ないと反るなどして隣の板と接触してしまう。また微生物膜も少なくとも１ｍｍ以上形成されるし、隣り合う微生物膜との間隔（空隙）も１ｍｍ以上必要である。すなわち、その断面方向には板、微生物膜、空隙、微生物膜、板の順で並んでいるので、板の占める割合は全体の約４分の１ほどである。一方、板の代わりにフィルムを使用すれば、フィルムの厚みは数十μｍなので無視することができる。そうすれば、同じ表面積の微生物膜を確保するのに必要な濾床の容積は板に比べて、約４分の３でよいことになる。その分だけ高密度な処理が行える。言い換えれば、コンパクト化が図れる。
【００４０】
（実施例５）
本発明の第５の実施例を図９により説明する。図９は、微生物が着生する濾床の本実施例における形態であり、濾床以外の部分は第１および第３の実施例と同じであるので、その説明と図は省略する。
【００４１】
実施の形態３の図７のような濾床の構成であれば、処理すべき水は濾床板表面だけでなく板と板の間隙を落下してしまい、板表面に着生している微生物膜にふれることがない水も存在する。そのような水は浄化されることがないので、全体としての浄化率が落ちてしまう。よって、濾床は流下してくる水とできるだけ接触機会の多いような構成が望ましい。
【００４２】
本実施例では流下してくる水とできるだけ接触機会を多くするために、図９に示すように濾床を２分割し、その互いの向きを異なる構成にする。図５と比べると図７は流下してくる水に対し接触機会が多いので処理性能も向上する。また、濾床を３段以上、それぞれ異なる方向で設けても一層効果的である。
【００４３】
【発明の効果】
上記の実施例から明らかなように、請求項１記載の発明によれば、微生物の着生する濾床が略直立下板であるので、効果的に酸素を取り込むことができ、高い浄化性能が期待できる。さらに上下に隣接する板の向きが互いに異なることによって、処理すべき水が濾床全体に行き渡りやすいので、微生物膜との接触機会を増すことができ、さらに高い浄化性能が得られる。
【００４４】
請求項第２記載の発明によれば、複数の穴もしくは凹部を有していることによって、より早い微生物の着床が期待できる。
【００４５】
請求項第３記載の発明によれば、多孔質の濾床に微生物が入り込み、微生物保持量が増えるので、より高い浄化性能が得られる。
【００４６】
請求項第４記載の発明によれば、フィルムを用いた濾床を略垂直方向に張り並べ直立させることによって、微生物膜表面の水膜は自重で流下してその厚みは最も薄いものとなり、空気と微生物間の酸素の拡散距離が小さくなって微生物が効果的に酸素を取り込むことができ、また板状の濾床よりもフィルムは薄くすることができるので、より高い浄化性能が得られる。さらに上下に隣接するフィルムの向きが互いに異なることによって、処理すべき水が濾床全体に行き渡りやすいので、微生物膜との接触機会を増すことができ、さらに高い浄化性能が得られる。
【００４７】
請求項第５記載の発明によれば、調整槽において加水分解が行われ、生ゴミが溶解した有機成分となって効果的に濾床に供給されるので、濾床において容易に嫌気状態に陥ることなく高い浄化性能が発揮される。
【００４８】
請求項第６記載の発明によれば、調整槽において加水分解が行われ、生ゴミが溶解した有機成分となって効果的に濾床に供給されるので、濾床において容易に嫌気状態に陥ることなく高い浄化性能が発揮される。
【図面の簡単な説明】
【図１】  本発明の第１の実施例を示す生ゴミ処理装置の構成図
【図２】  同、生ゴミ処理装置における濾床を示す斜視図
【図３】  同、生ゴミ処理装置における濾床の水平断面図
【図４】  同、生ゴミ処理装置における濾床の１形態の水平断面図
【図５】  本発明の第２の実施例を示す生ゴミ処理装置の濾床を示す斜視図
【図６】  同、生ゴミ処理装置における濾床の１形態の垂直断面図
【図７】  本発明の第３の実施例を示す生ゴミ処理装置の濾床を示す斜視図
【図８】  本発明の第４の実施例を示す生ゴミ処理装置の濾床の水平断面図
【図９】  本発明の第５の実施例を示す生ゴミ処理装置の濾床を示す斜視図
【符号の説明】
１  粉砕装置
２  微生物調整槽
３  メッシュ
４  分解槽
５  濾床
６  濾床棒
７  微生物膜
８  水槽
９  水循環ポンプ
１０  ノズル
１１  サイフォン
１２  吸気ポンプ
１３  吸気口
１４  下水
１５  濾床糸
１６  濾床板
１７  フィルム
【図１】
0003684816.tif 000002
【図２】
0003684816.tif 000003
【図３】
0003684816.tif 000004
【図４】
0003684816.tif 000005
【図５】
0003684816.tif 000006
【図６】
0003684816.tif 000007
【図７】
0003684816.tif 000008
【図８】
0003684816.tif 000009
【図９】
0003684816.tif 000010